(57)【要約】【課題】ゲルブロッキングを抑制し、体液を吸収し続け易い吸収性物品を提供する。【解決手段】吸収性物品（１）は、液透過性の表面シート(10)と、液不透過性の裏面シート(20)と、表面シートと裏面シートの間に配置され、少なくとも親水性繊維と高吸収性ポリマーを有する吸収体(30)と、を有する。吸収体(30)は、少なくとも親水性繊維を有する上層吸収体(35)と、上層吸収体よりも非肌対向面側に配置された下層吸収体(36)と、を有する。下層吸収体は、上層吸収体よりも長手方向及び幅方向において延出した延出領域(R10)を有する。上層吸収体の肌対向面に露出する高吸収性ポリマー(32)の坪量は、延出領域の肌対向面に露出する高吸収性ポリマー(32)の坪量よりも少ない。【選択図】  図３
2019162526.tif 000002
【特許請求の範囲】
【請求項１】
互いに直交する長手方向及び幅方向と、
液透過性の表面シートと、
液不透過性の裏面シートと、
前記表面シートと前記裏面シートの間に配置され、少なくとも親水性繊維と高吸収性ポリマーを有する吸収体と、を有する吸収性物品であって、
前記吸収体は、少なくとも前記親水性繊維を有する上層吸収体と、前記上層吸収体よりも非肌対向面側に配置された下層吸収体と、を有し、
前記下層吸収体は、前記上層吸収体よりも前記長手方向及び前記幅方向において延出した延出領域を有し、
前記上層吸収体の肌対向面に露出する高吸収性ポリマーの坪量は、前記延出領域の肌対向面に露出する高吸収性ポリマーの坪量よりも少ない、吸収性物品。
【請求項２】
前記上層吸収体は、前記親水性繊維及び前記高吸収性ポリマーを含むエアレイド不織布である、請求項１に記載の吸収性物品。
【請求項３】
前記上層吸収体において、前記親水性繊維は、前記下層吸収体側の面に少なくとも配置され、前記高吸収性ポリマーは、前記下層吸収体側の面に配置された前記親水性繊維よりも肌対向面側に少なくとも配置されている、請求項１又は請求項２に記載の吸収性物品。
【請求項４】
前記吸収体は、熱融着性繊維を有しており、
前記熱融着性繊維は、前記上層吸収体及び前記下層吸収体のうち、前記下層吸収体のみに配置されている、請求項１から請求項３のいずれか１項に記載の吸収性物品。
【請求項５】
前記延出領域は、前記上層吸収体側に配置された第１領域と、前記吸収性物品の外縁側に配置された第２領域と、を有し、
前記第１領域の肌対向面に露出する高吸収性ポリマーの坪量は、前記第２領域の肌対向面に露出する高吸収性ポリマーの坪量よりも多い、請求項１から請求項４のいずれか１項に記載の吸収性物品。
【請求項６】
前記上層吸収体と前記下層吸収体が接着材によって接合された吸収接合部を有し、
前記吸収接合部は、前記長手方向及び前記幅方向の一方に延び、かつ前記長手方向及び前記幅方向の他方に間隔を空けて複数設けられている、請求項１から請求項５のいずれか１項に記載の吸収性物品。
【請求項７】
前記上層吸収体と前記下層吸収体が接着材によって接合された吸収接合部を有し、
前記吸収性物品は、前記幅方向に延びる一対の折り目を基点に折り畳まれており、
前記上層吸収体は、前記折り目よりも前記長手方向の外側に配置された外側領域を有し、
前記吸収接合部は、前記外側領域に重ならない領域に設けられている、請求項１から請求項６のいずれか１項に記載の吸収性物品。
【請求項８】
前記吸収接合部は、前記一対の折り目と重ならない領域に設けられている、請求項７に記載の吸収性物品。
【請求項９】
前記上層吸収体と前記下層吸収体が接着材によって接合された吸収接合部と、前記吸収性物品の非肌対向面を着用物品に接合するための粘着剤が設けられた粘着部と、を有し、
前記吸収接合部及び前記粘着部のいずれも厚み方向に重ならない非重畳部が設けられている、請求項１から請求項８のいずれか１項に記載の吸収性物品。
【発明の詳細な説明】
【技術分野】
【０００１】
本発明は、パンティライナー、軽失禁パッド等、下着に装着して使用する吸収性物品に関する。
【背景技術】
【０００２】
従来から、下着に装着し、おりもの、汗、尿などの体液を吸収する吸収性物品が用いられている。特許文献１の吸収性物品は、表面シートと、裏面シートと、表面シートと裏面シートの間に配置され、高吸収性ポリマーを有する吸収性コアと、を有する。特許文献１の吸収性コアは、高吸収性ポリマーを主体として構成されており、吸収性コアの平面の全域に亘って高吸収性ポリマーが配置されている。
【先行技術文献】
【特許文献】
【０００３】
【特許文献１】特開２０１２−１０５９６２号
【発明の概要】
【発明が解決しようとする課題】
【０００４】
特許文献１の吸収性コアは、高吸収性ポリマーを主体として構成されており、体液の保持性が優れている。しかし、吸収性コアの平面全域に亘って高吸収性ポリマーが配置されているため、体液を一旦吸収すると、高吸収性ポリマーがゲル化してゲルブロッキングが生じ易い。ゲルブロッキングが生じると、体液を吸収し続け難く、漏れが発生したり、体液が表面上に残ることによる装着感が悪化したりすることがあった。
【０００５】
よって、ゲルブロッキングを抑制し、体液を吸収し続け易い吸収性物品が望まれる。
【課題を解決するための手段】
【０００６】
一態様に係る吸収性物品は、互いに直交する長手方向及び幅方向と、液透過性の表面シートと、液不透過性の裏面シートと、前記表面シートと前記裏面シートの間に配置され、少なくとも親水性繊維と高吸収性ポリマーを有する吸収体と、を有する吸収性物品であって、前記吸収体は、少なくとも前記親水性繊維を有する上層吸収体と、前記上層吸収体よりも非肌対向面側に配置された下層吸収体と、を有し、前記下層吸収体は、前記上層吸収体よりも前記長手方向及び前記幅方向において延出した延出領域を有し、前記上層吸収体の肌対向面に露出する高吸収性ポリマーの坪量は、前記延出領域の肌対向面に露出する高吸収性ポリマーの坪量よりも少ない。
【図面の簡単な説明】
【０００７】
【図１】実施形態に係る吸収性物品の肌対向面側から見た平面図である。
【図２】実施形態に係る吸収性物品の非肌対向面側から見た平面図である。
【図３】図１に示す吸収性物品のＡ−Ａ断面に沿った模式断面図である。
【図４】図１に示す吸収性物品のＢ−Ｂ断面に沿った模式断面図である。
【図５】上層吸収体と下層吸収体の接合部を示した平面図である。
【発明を実施するための形態】
【０００８】
（１）実施形態の概要
本明細書及び添付図面の記載により、少なくとも以下の事項が明らかとなる。
一態様に係る吸収性物品は、互いに直交する長手方向及び幅方向と、液透過性の表面シートと、液不透過性の裏面シートと、前記表面シートと前記裏面シートの間に配置され、少なくとも親水性繊維と高吸収性ポリマーを有する吸収体と、を有する吸収性物品であって、前記吸収体は、少なくとも前記親水性繊維を有する上層吸収体と、前記上層吸収体よりも非肌対向面側に配置された下層吸収体と、を有し、前記下層吸収体は、前記上層吸収体よりも前記長手方向及び前記幅方向において延出した延出領域を有し、前記上層吸収体の肌対向面に露出する高吸収性ポリマーの坪量は、前記延出領域の肌対向面に露出する高吸収性ポリマーの坪量よりも少ない。
【０００９】
本態様によれば、上層吸収体は、親水性繊維を有しており、当該親水性繊維によって体液を迅速に引き込むことができる。上層吸収体によって引き込まれた体液は、上層吸収体内を拡散しつつ,下層吸収体に導かれる。このとき、上層吸収体の肌対向面に露出する高吸収性ポリマーの坪量が比較的少ないため、上層吸収体の肌対向面におけるゲルブロッキングを抑制でき、上層吸収体内に体液を引き込み続けることができる。また、下層吸収体の延出領域の高吸収性ポリマーの坪量が比較的多く、上層吸収体から側方に染み出した体液を延出領域の高吸収性ポリマーで保持し、横漏れを抑制できる。延出領域は、体液が排出される吸収性物品の中央よりも外側にずれている。そのため、延出領域の高吸収性ポリマーによるゲルブロッキングが発生しても、体液を保持し続けることができる。
【００１０】
好ましい一態様によれば、前記上層吸収体は、前記親水性繊維及び前記高吸収性ポリマーを含むエアレイド不織布であってよい。
【００１１】
エアレイド不織布は、液体の引き込み性が高く、また引き込んだ液体の放出性が高い。そのため、上層吸収体上に排出された体液を迅速に引き込むとともに、下層吸収体に体液を迅速に導くことができる。また、エアレイド不織布は、平面方向の拡散性が高いため、上層吸収体内に引き込んだ体液を広い範囲に拡散できる。よって、上層吸収体における広い面積で体液を保持できるともに、下層吸収体の延出領域にも体液を導き易い。よって、上層吸収体おける局所的な体液の吸収によるゲルブロッキングを抑制できる。
【００１２】
好ましい一態様によれば、前記上層吸収体において、前記親水性繊維は、前記下層吸収体側の面に少なくとも配置され、前記高吸収性ポリマーは、前記下層吸収体側の面に配置された前記親水性繊維よりも肌対向面側に少なくとも配置されてよい。
【００１３】
本態様によれば、上層吸収体の高吸収性ポリマーにおいて吸収しきれなかった体液を、高吸収性ポリマーよりも非肌対向面側に位置する親水性繊維によって引き込むことができる。上層吸収体内において非肌対向面側に体液を引き込むことにより、円滑に下層吸収体に向けて体液を導くことができる。
【００１４】
好ましい一態様によれば、前記吸収体は、熱融着性繊維を有しており、前記熱融着性繊維は、前記上層吸収体及び前記下層吸収体のうち、前記下層吸収体のみに配置されてよい。
【００１５】
熱融着性繊維は、製造過程で加熱されることにより、熱融着部が形成される。下層吸収体に熱融着部が形成されることにより、繊維同士の結合力が強くなり、下層吸収体がよれ難くなる。これにより、吸収性物品全体がよれ難くなり、身体に対向して適切に配置され続けることができ、漏れを抑制したり、違和感を抑制したりできる。また、熱融着性繊維は、上層吸収体に配置されていないため、上層吸収体には、熱融着部が形成されない。繊維同士の結合力が強くなることに起因して高吸収性ポリマーの膨らみが阻害されず、高吸収性ポリマーが膨潤し易くなり、吸収性能を維持できる。
【００１６】
好ましい一態様によれば、前記延出領域は、前記上層吸収体側に配置された第１領域と、前記吸収性物品の外縁側に配置された第２領域と、を有し、前記第１領域の肌対向面に露出する高吸収性ポリマーの坪量は、前記第２領域の肌対向面に露出する高吸収性ポリマーの坪量よりも多くてよい。
【００１７】
本態様によれば、第１領域の高吸収性ポリマーの坪量が多いため、吸収性物品の平面視における内側に位置する第１領域で体液をより保持できる。吸収性物品の外縁に体液が到達し難くなり、横漏れを抑制できる。
【００１８】
好ましい一態様によれば、前記上層吸収体と前記下層吸収体を接合する接着材が設けられた吸収接合部を有し、前記吸収接合部は、前記長手方向及び前記幅方向の一方に延び、かつ前記長手方向及び前記幅方向の他方に間隔を空けて複数設けられてよい。
【００１９】
接着材が設けられた吸収接合部は、体液を透過させ難く、接着材が設けられていない非吸収接合部は、体液を透過させ易い。本態様によれば、上層吸収体で吸収した体液を、吸収接合部同士の間隔である非吸収接合部において一方の方向に拡散でき、広い面積で体液を吸収できる。非吸収接合部によって体液を拡散する一方、非吸収接合部の両側に配置された吸収接合部によって他方の方向への拡散を抑制できる。上層吸収体と下層吸収体との間で体液が拡散しすぎることに起因して、上層吸収体と下層吸収体の剥離部分における液溜まりを抑制し、下層吸収体側への体液の引き込みを持続できる。
【００２０】
好ましい一態様によれば、前記上層吸収体と前記下層吸収体が接着材によって接合された吸収接合部を有し、前記吸収性物品は、前記幅方向に延びる一対の折り目を基点に折り畳まれており、前記上層吸収体は、前記折り目よりも前記長手方向の外側に配置された外側領域を有し、前記吸収接合部は、前記外側領域に重ならない領域に設けられてよい。
【００２１】
上層吸収体の外側領域は、下層吸収体に接合されてなく、製造過程の折り畳み時や装着過程の展開時に移動し易い。外側領域の移動に伴って、上層吸収体内の高吸収性ポリマーが拡散し易くなり、吸収体の広い範囲で体液を保持できる。
【００２２】
好ましい一態様によれば、前記吸収接合部は、前記一対の折り目と重ならない領域に設けられてよい。
【００２３】
吸収接合部と折り目が重なると、折り癖がより強く形成され、折り目と重なる領域における上層吸収体の剛性が高くなる。しかし、吸収接合部と折り目が重ならないため、上層吸収体の剛性が局所的に高くなることを抑制できる。上層吸収体の剛性が局所的に高くなることに起因して高吸収性ポリマーの膨らみが阻害されず、高吸収性ポリマーが膨潤し易くなり、吸収性能を維持できる。
【００２４】
好ましい一態様によれば、前記上層吸収体と前記下層吸収体が接着材によって接合された吸収接合部と、前記吸収性物品の非肌対向面を着用物品に接合するための粘着剤が設けられた粘着部と、を有し、前記吸収接合部及び前記粘着部のいずれも厚み方向に重ならない非重畳部が設けられてよい。
【００２５】
非重畳部は、吸収接合部及び粘着部のいずれとも重ならず、通気性及びドライ性を確保できる。非重畳部を有することにより、吸収性物品全体の蒸れを低減し、装着感を向上できる。
【００２６】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２７】
吸収性物品は、パンティライナーである。なお、本発明に係る吸収性物品は、下着に装着して使用する吸収性物品であればよく、例えば、軽失禁パッドであってもよい。図１は、本実施形態に係る吸収性物品１の肌対向面側から見た平面図である。図２は、図１に示す吸収性物品の非肌対向面側から見た平面図である。図３は、図１に示す吸収性物品のＡ−Ａ断面に沿った模式断面図である。図４は、図１に示す吸収性物品のＢ−Ｂ断面に沿った模式断面図である。
【００２８】
吸収性物品１は、互いに直交する長手方向Ｌ及び幅方向Ｗを有する。長手方向Ｌは、身体前側と身体後側とに延びる方向によって規定される。言い換えると、長手方向Ｌは、展開された吸収性物品１において前後に延びる方向である。また、吸収性物品１は、長手方向Ｌと幅方向Ｗの両方の直交する厚み方向Ｔを有する。厚み方向Ｔは、着用者側に向かう肌対向面側Ｔ１と、肌対向面側Ｔ１と反対側の非肌対向面側Ｔ２と、に延びる。
【００２９】
吸収性物品１は、表面シート１０と、裏面シート２０と、吸収体３０と、を少なくとも有する。表面シート１０は、例えば不織布や開孔プラスチックフィルムのような液透過性のシートによって構成されていてよい。表面シート１０は、複数のシートが積層されて構成されてもよいし、セカンドシートを有してもよい。例えば、コットン繊維を含むコットンシートと、レーヨンとポリエチレンからなるシートと、の積層シートによって表面シート１０を構成してもよいし、当該積層シートと、エアスルー不織布によるセカンドシートと、によって表面シート１０を構成してもよい。本実施の形態の表面シート１０は、エアスルー不織布によって構成されている。また、エアスルー不織布より肌対向面側Ｔ１にコットンシートを有してもよい。着用者の肌にコットンシートが触れるため、肌触りを向上できる。
【００３０】
裏面シート２０は、例えば、プラスチックフィルムのような液不透過性のシートによって構成されてよい。裏面シート２０は、通気性を有してもよい。通気性を有する裏面シート２０によれば、尿や汗の吸収時に裏面シート２０を介して湿気を吸収性物品外に排出し易い。よって、蒸れを低減して装着感を向上できる。表面シート１０及び裏面シート２０は、吸収性物品１の外縁１Ｅまで到達している。本実施の形態において、外側縁は、幅方向Ｗの外側端であり、前端縁は、前側の縁であり、後端縁は、後側の縁である。また、外縁は、外側縁、前端縁及び後端縁を含む外周全体の縁である。
【００３１】
図２に示すように、裏面シート２０の非肌対向面には、吸収性物品１を下着に接合するための粘着部５０が配置されている。粘着部５０は、吸収性物品１を下着に接合する粘着材が設けられた部分である。粘着部５０は、幅方向Ｗに延び、長手方向Ｌに間隔を空けて複数設けられている。粘着部５０は、後述する外縁接合部４０に到達してなくてよい。すなわち、粘着部５０と外縁接合部４０は、平面視にて離間していてもよい。粘着部５０と外縁接合部４０の間に、着用物品に接合されてなく（粘着部に重ならず）、シート同士が接合されてない（外縁接合部４０に重ならない）部分が設けられる。当該粘着部５０と外縁接合部４０の間の部分は、高吸収性ポリマー３２が膨張した際に厚さが厚くなり易い。高吸収性ポリマーの膨らみが阻害されず、高吸収性ポリマーが膨潤し易くなり、吸収性能を維持できる。
【００３２】
使用者によっては、吸収性物品１を装着する際に、外縁接合部４０を把持することがある。外縁接合部４０に粘着部５０が到達していないことにより、装着時に外縁接合部４０を掴んでも、粘着部５０に触れることがなく、着用物品に貼り付け易く、また着用物品から外し易い。加えて、着用時に吸収性物品１の幅方向の外縁は、着用物品のクロッチ部の縫い目近傍に配置され、着用者の動きによって変形し易い。外縁接合部４０に粘着部５０が到達していないことにより、吸収性物品の側縁が着用物品の動きにダイレクトに追従せず、吸収性物品の変形を抑制できる。また、粘着部５０は、吸収性物品の使用前に図示しない被覆シートによって覆われていてよい。なお、変形例において、粘着部５０は、長手方向Ｌに延び、幅方向Ｗに間隔を空けて複数設けられてよいし、外縁接合部４０に到達していてもよい。
【００３３】
吸収体３０は、表面シート１０と裏面シート２０の間に配置されている。吸収体３０は、少なくとも親水性繊維３１と高吸収性ポリマー（ＳＡＰ）３２を有する。本実施の形態の吸収性物品１は、パンティライナーとして長期間に亘って使用されるものである。繊維によっておりものや汗などの体液を吸収するとともに、高吸収性ポリマー３２によって軽失禁による体液をも吸収できる。吸収体３０については、後述にて詳細に説明する。
【００３４】
吸収性物品１は、使用前に幅方向Ｗに延びる一対の折り目ＦＬを基点に折り畳まれていてよい。一対の折り目ＦＬは、第１折り目ＦＬと、第１折り目ＦＬ１と長手方向Ｌに間隔を空けて配置された第２折り目ＦＬ２と、を有する。
【００３５】
少なくとも表面シート１０と裏面シート２０が接合された外縁接合部４０が吸収性物品１の外縁１Ｅに沿って設けられてよい。外縁接合部４０は、少なくとも表面シート１０と裏面シート２０が接合されていればよく、吸収体３０も接合されていてもよい。外縁接合部４０は、吸収性物品１の外縁１Ｅに到達してよい。外縁接合部４０は、熱溶着、超音波溶着、エンボス加工のいずれかによって形成されてよい。本実施の形態の外縁接合部４０は、表面シート１０、裏面シート２０、及び後述する下層吸収体３６がエンボス加工によって接合されている。エンボス加工による外縁接合部４０が吸収性物品１の外縁１Ｅに設けられていることにより、吸収性物品１の外縁に体液が到達しても、密度が高い外縁接合部４０内で体液を保持し、横漏れを抑制できる。さらに、外縁接合部４０の外縁が吸収性物品１の外縁と一致する場合は、外縁接合部４０よりも内側の領域（シート同士、及び下層吸収体が接合されていない領域）を広く確保できるので、高吸収性ポリマー３２の膨張を妨げることを抑制できる。なお、外縁接合部４０は、図１及び図２において示す、便宜上、図３及び図４の断面図において省略している。
【００３６】
次いで、吸収体３０について、詳細に説明する。吸収体３０は、上層吸収体３５と、上層吸収体３５よりも非肌対向面側Ｔ２に配置された下層吸収体３６と、を有する。下層吸収体３６の面積は、上層吸収体３５の面積よりも大きい。下層吸収体３６は、平面視にて上層吸収体３５よりも延出した延出領域Ｒ１０を有する。延出領域Ｒ１０は、図５において斜線を付した領域である。下層吸収体３６は、吸収性物品１全体に配置されており、下層吸収体３６の外縁は、吸収性物品の外縁に一致している。上層吸収体３５は、平面視にて矩形であり、吸収性物品１の幅方向Ｗの中心及び長手方向Ｌの中心を跨いでいる。上層吸収体３５の外側縁は、吸収性物品１の外側縁よりも幅方向Ｗの内側に位置する。長手方向Ｌにおいて、上層吸収体３５の外端縁は、吸収性物品１の外端縁よりも内側に位置する。よって、延出領域Ｒ１０は、上層吸収体３５よりも長手方向Ｌの外側と、上層吸収体３５よりも幅方向Ｗの外側と、のそれぞれに設けられている。延出領域Ｒ１０は、上層吸収体３５の外縁と吸収性物品の外縁１Ｅとの間の領域である。
【００３７】
延出領域Ｒ１０は、上層吸収体３５側に配置された第１領域Ｒ１１と、吸収性物品の外縁側に配置された第２領域Ｒ１２と、を有してよい。第１領域Ｒ１１は、延出領域Ｒ１０を長手方向Ｌ又は幅方向Ｗに２等分した領域のうち上層吸収体３５側に配置された領域である。図５において、第１領域Ｒ１１と第２領域Ｒ１２の境界を一点鎖線で示す。本実施の形態における第１領域Ｒ１１と第２領域Ｒ１２の境界は、上層吸収体３５の外縁と吸収性物品１の外縁の中間点を繋いだ線である。
【００３８】
上層吸収体３５は、少なくとも親水性繊維３１を有する。上層吸収体３５の肌対向面に露出する高吸収性ポリマー３２の坪量は、下層吸収体３６の延出領域Ｒ１０の肌対向面に露出する高吸収性ポリマー３２の坪量よりも少ない。上層吸収体３５の肌対向面及び下層吸収体３６の肌対向面は、各吸収体の肌対向面側Ｔ１の面であり、表面シートに向かう面である。なお、下層吸収体３６の延出領域Ｒ１０の肌対向面に露出する高吸収性ポリマー３２が、上層吸収体３５の肌対向面に露出する高吸収性ポリマー３２よりも多く配置されていればよく、上層吸収体３５の肌対向面に露出する高吸収性ポリマー３２が存在しなくてもよい。また、上層吸収体３５及び下層吸収体３６内に高吸収性ポリマー３２が配置されずに、上層吸収体３５の肌対向面上及び下層吸収体３６の肌対向面上に高吸収性ポリマー３２が配置されていてもよい。本実施の形態では、上層吸収体３５内に高吸収性ポリマー３２が配置され、この高吸収性ポリマー３２の一部が上層吸収体３５の肌対向面に露出している。また、下層吸収体３６内に高吸収性ポリマー３２が配置されずに、上層吸収体３５から零れた高吸収性ポリマー３２が下層吸収体３６の延出領域Ｒ１０において露出している。なお、吸収性物品の外縁まで下層吸収体３６が延在する場合３０は、吸収性物品１の外縁１Ｅから高吸収性ポリマー３２が零れることを防ぐために、吸収体の側縁部に高吸収性ポリマー３２が配置されていないことが好ましく、より好適には、下層吸収体３６内に高吸収性ポリマー３２が配置されていないことが好ましい。なお、吸収体３０の外縁部に高吸収性ポリマー３２が配置されていない（吸収体の中央部のみに高吸収性ポリマー３２が配置されている）場合には、吸収性物品全体の保水量を確保するために、下層吸収体３６内に高吸収性ポリマー３２が配置されていてもよい。
【００３９】
高吸収性ポリマー３２の坪量の比較は、色水を垂らし、上層吸収体３５の高吸収性ポリマー３２と延出領域Ｒ１０の高吸収性ポリマー３２が水分を吸収した状態で、色の違いの目視にて確認する。単位面積あたりの色が濃い領域、又は単位面積あたりの色が変化した面積が大きい領域は、高吸収性ポリマー３２の坪量が大きい領域とする。高吸収性ポリマー３２の坪量の比較の他の方法としては、色水に３０分程度浸水させ、色水の吸収によって膨張した高吸収性ポリマー３２の個数を測定し、高吸収性ポリマー３２の坪量を比較できる。
【００４０】
この構成によれば、上層吸収体３５の親水性繊維３１によって体液を迅速に引き込むことができる。上層吸収体３５によって引き込まれた体液は、上層吸収体３５内を拡散しつつ、下層吸収体３６に導かれる。このとき、上層吸収体３５の肌対向面に露出する高吸収性ポリマー３２の坪量が比較的少ないため、上層吸収体３５の肌対向面におけるゲルブロッキングを抑制でき、上層吸収体３５内に体液を引き込み続けることができる。また、下層吸収体３６の延出領域Ｒ１０の高吸収性ポリマー３２の坪量が比較的多く、上層吸収体３５から側方に染み出した体液を延出領域Ｒ１０の高吸収性ポリマー３２で保持し、横漏れを抑制できる。延出領域Ｒ１０は、体液が排出される吸収性物品１の中央よりも外側にずれている。そのため、延出領域Ｒ１０の高吸収性ポリマー３２によるゲルブロッキングが発生しても、体液を保持し続けることができる。
【００４１】
延出領域Ｒ１０の第１領域Ｒ１１の肌対向面に露出する高吸収性ポリマー３２の坪量は、第２領域Ｒ１２の肌対向面に露出する高吸収性ポリマー３２の坪量よりも多くてよい。第１領域Ｒ１１の高吸収性ポリマー３２の坪量が比較的多いため、吸収性物品１の平面視における内側の第１領域Ｒ１１で体液をより保持できる。吸収性物品１の外縁１Ｅに体液が到達し難くなり、横漏れを抑制できる。第２領域Ｒ１２は、排泄部から離れた汗をかきやすい領域に当接する。第２領域Ｒ１２によって排泄物よりも水分排出量の少ない汗を確実に吸収できる。また、第２領域Ｒ１２の高吸収性ポリマー３２の坪量が低いため、高吸収性ポリマー３２が膨張したときの凹凸による肌への違和感を低減できる。
【００４２】
上層吸収体３５は、親水性繊維３１及び高吸収性ポリマー３２を含むエアレイド不織布であってよい。エアレイド不織布は、液体の引き込み性が高く、また引き込んだ液体の放出性が高い。そのため、上層吸収体３５上に排出された体液を迅速に引き込むとともに、下層吸収体３６に迅速に体液を導くことができる。また、エアレイド不織布は、平面方向の拡散性が高いため、上層吸収体３５内に引き込んだ体液を広い範囲に拡散できる。よって、上層吸収体３５における広い面積で体液を保持できるともに、下層吸収体３６の延出領域Ｒ１０にも体液を導き易い。よって、上層吸収体３５おける局所的な体液の吸収によるゲルブロッキングを抑制できる。
【００４３】
下層吸収体３６の外縁は、吸収性物品１の外縁に一致してよい。下層吸収体３６の面積を広く設け、吸収容量を確保できる。また、延出領域Ｒ１０に露出した高吸収性ポリマー３２によって体液を保持し、吸収性物品１の外縁１Ｅに体液が到達することを抑制できる。すなわち、下層吸収体３６による吸収容量を確保しつつ、吸収性物品の外縁１Ｅからの横漏れを抑制できる。
【００４４】
上層吸収体３５において、親水性繊維３１は、下層吸収体３６側の面に少なくとも配置され、高吸収性ポリマー３２は、下層吸収体３６側の面に配置された親水性繊維３１よりも肌対向面側Ｔ１に少なくとも配置されている。上層吸収体３５の高吸収性ポリマー３２において吸収しきれなかった体液を、高吸収性ポリマー３２よりも非肌対向面側Ｔ２に位置する親水性繊維３１によって引き込んで吸収できる。上層吸収体３５内において非肌対向面側Ｔ２に体液を引き込むことにより、円滑に下層吸収体３６に体液を導くことができる。
【００４５】
吸収体３０内において高吸収性ポリマー３２の密度は、一定であってもよいし、異なっていてもよい。図３に示すように、上層吸収体３５は、上層吸収体３５の厚み方向の中心を含む中央領域３５ＲＣと、中央領域３５ＲＣよりも厚さ方向の外側に位置する表面側領域３５ＲＳと、を有する。中央領域３５ＲＣと表面側領域３５ＲＳの境界は、上層吸収体３５を厚み方向に三等分する境界である。中央領域３５ＲＣの高吸収性ポリマー３２の密度は、表面側領域３５ＲＳの高吸収性ポリマー３２の密度よりも高くてよい。中央領域３５ＲＣにおける高吸収性ポリマー３２の密度が高いため、体液の吸収時に中央領域３５ＲＣが膨張し易い。よって、体液の吸収容量を確保できる。また、表面側領域３５ＲＳにおける高吸収性ポリマー３２の密度が低く、体液の吸収時にゲルブロッキングが生じ難く、体液の引き込み性を維持できる。なお、当該密度の測定方法としては、吸収体を厚み方向に沿った断面で切断し、当該断面を電子顕微鏡で撮影し、各領域において同面積に含まれる高吸収性ポリマー３２の個数を計測し、個数が多いほど密度が高くなるものとして測定できる。また、高吸収性ポリマー３２の個数を計測の他の方法としては、色水に３０分程度浸水させ、色水の吸収によって膨張した高吸収性ポリマー３２の個数を計測し、個数が多いほど密度が高くなるものとして測定できる。
【００４６】
吸収体３０は、熱融着性繊維３３を有してよい。熱融着性繊維３３は、上層吸収体３５及び下層吸収体３６のうち、下層吸収体３６のみに配置されてよい。すなわち、熱融着性繊維３３は、上層吸収体３５に配置されてなくてよい。熱融着性繊維３３は、製造過程で加熱されることにより、熱融着部が形成される。下層吸収体３６に熱融着部が形成されることにより、繊維同士の結合力が強くなり、下層吸収体３６がよれ難くなる。よって、吸収性物品全体がよれ難くなり、身体に対向して適切に配置され続けることができ、漏れを抑制したり、違和感を抑制したりできる。また、熱融着性繊維３３は、上層吸収体３５に配置されていないため、上層吸収体３５には、熱融着部が形成されない。繊維同士の結合力が強くなることに起因して高吸収性ポリマー３２の膨らみが阻害されず、高吸収性ポリマー３２が膨潤し易くなり、吸収性能を維持できる。
【００４７】
本実施の形態の上層吸収体３５は、親水性繊維３１、バインダ（結合材）、親水剤、及び高吸収性ポリマー３２を有するエアレイド不織布であり、下層吸収体３６は、バインダ（結合材）、親水剤、熱融着性繊維３３を有するエアレイド不織布である。下層吸収体３６は、高吸収性ポリマー３２を有していない。
【００４８】
吸収性物品１は、上層吸収体３５と下層吸収体３６が接合された吸収接合部７０を有する。図５は、上層吸収体３５と下層吸収体３６の吸収接合部７０を示した平面図である。吸収接合部７０は、長手方向Ｌ及び幅方向Ｗの一方に延び、かつ長手方向Ｌ及び幅方向Ｗの他方に間隔を空けて複数設けられてよい。本実施の形態の吸収接合部７０は、幅方向Ｗに延びており、長手方向Ｌに間隔を空けて複数設けられてよい。なお、変形例において、吸収接合部７０は、長手方向Ｌに延びており、幅方向Ｗに間隔を空けて複数設けられてよい。また、吸収接合部７０は、粘着部５０と同じ方向に延び、また、粘着部５０と同じ方向において間隔を空けて配置されてよい。
【００４９】
接着材が設けられた吸収接合部７０は、体液を透過させ難く、接着材が設けられていない非吸収接合部は、体液を透過させ易い。非吸収接合部は、吸収接合部７０以外の部分である。本態様によれば、上層吸収体３５で吸収した体液を、吸収接合部７０同士の間隔の非吸収接合部で一方の方向に拡散でき、広い面積で体液を吸収できる。非吸収接合部によって体液を幅方向Ｗに拡散する一方、非吸収接合部に対する長手方向Ｌの両側に配置された吸収接合部７０によって拡散を抑制できる。上層吸収体３５と下層吸収体３６との間で体液が拡散しすぎることに起因して、上層吸収体３５と下層吸収体３６の剥離部分における液溜まりを抑制し、下層吸収体３６側への体液の引き込みを持続できる。
【００５０】
吸収接合部７０は、吸収性物品１の一対の折り目ＦＬと重ならない領域に設けられてよい。吸収接合部７０と折り目ＦＬが重なると、折り癖がより強く形成され、折り目ＦＬと重なる領域における上層吸収体３５の剛性が高くなる。しかし、吸収接合部７０と折り目ＦＬが重ならないため、上層吸収体３５の剛性が局所的に高くなることを抑制できる。上層吸収体３５の剛性が局所的に高くなることに起因して高吸収性ポリマー３２の膨らみが阻害されず、高吸収性ポリマー３２が膨潤し易くなり、吸収性能を維持できる。
【００５１】
上層吸収体３５は、一対の折り目ＦＬの少なくとも一方と重なってよい。図５に示すように、上層吸収体３５は、折り目ＦＬよりも長手方向Ｌの外側に配置された外側領域Ｒ１５を有している。本実施の形態では、上層吸収体３５の長手方向Ｌの一端は、第１折り目ＦＬ１よりも長手方向Ｌの外側に位置し、上層吸収体３５の長手方向Ｌの他端は、第２折り目ＦＬ２に一致している。よって、上層吸収体３５の外側領域Ｒ１５は、第１折り目ＦＬ１よりも長手方向Ｌの外側に設けられている。外側領域Ｒ１５は、下層吸収体３６に接合されてなく、製造過程の折り畳み時や装着過程の展開時に移動し易い。外側領域Ｒ１５の移動に伴って、上層吸収体３５内の高吸収性ポリマー３２が拡散し易くなり、吸収体の広い範囲で体液を保持できる。
【００５２】
図４に示すように、吸収性物品１には、吸収接合部７０及び粘着部５０のいずれも厚み方向Ｔに重ならない非重畳部Ｒ２０が設けられている。非重畳部Ｒ２０は、吸収接合部７０及び粘着部５０のいずれとも重ならず、通気性及びドライ性を確保できる。吸収性物品全体の蒸れを低減し、装着感を向上できる。
【００５３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００５４】
本発明によれば、ゲルブロッキングを抑制し、体液を吸収し続け易い吸収性物品を提供できる。
【符号の説明】
【００５５】
１        ：吸収性物品
１Ｅ      ：外縁
１０      ：表面シート
２０      ：裏面シート
３０      ：吸収体
３１      ：親水性繊維
３２      ：高吸収性ポリマー
３３      ：熱融着性繊維
３５      ：上層吸収体
３６      ：下層吸収体
５０      ：粘着部
７０      ：吸収接合部
Ｌ        ：長手方向
Ｔ        ：厚み方向
Ｔ１      ：肌対向面側
Ｔ２      ：非肌対向面側
Ｗ        ：幅方向
【図１】
2019162526.tif 000003
【図２】
2019162526.tif 000004
【図３】
2019162526.tif 000005
【図４】
2019162526.tif 000006
【図５】
2019162526.tif 000007